(57)【要約】
【課題】墓所の玉垣を構成する玉板部材並びに玉垣柱部材に対して、燭台のための空洞を設け、この空洞内にも点火ローソクをセットして、お参りすようになした新規な玉垣構造を提供すること。
【解決手段】墓所の基台石１上に、納骨室を含む宝筺印塔２、拝石３などを設け、その周囲に玉垣７を配して墓所一領域を区画するように構成してなり、前記玉垣が、所望の間隔をおいて立設される玉垣柱部材８と、前記玉垣柱部材間に配設される玉板部材９との組み合わせによって構成され、前記玉板部材は、その長さ方向に略等分する少なくとも一箇所に高さ方向にのびる空洞を備え、前記空洞内に燭台を配設可能になしたことを特徴とする墓所の玉垣構造。
【選択図】図１
0003099135.tif 000002
【実用新案登録請求の範囲】
【請求項１】
墓所の基台石上に、納骨室を含む宝筺印塔、拝石などを設け、その周囲に玉垣を配して墓所一領域を区画するように構成してなり、前記玉垣が、所望も間隔をおいて立設される玉垣柱部材と、前記玉垣柱部材間に配設される玉板部材との組み合わせによって構成され、前記玉板部材は、その長さ方向に略等分する少なくとも一箇所に高さ方向にのびる空洞を備え、前記空洞内に燭台を配設可能になしたことを特徴とする墓所の玉垣構造。
【請求項２】
前記玉板部材に設けた空洞に対応して、前記玉板部材の側面に明かり窓を設けたことを特徴とする請求項１に記載の墓所の玉垣構造。
【請求項３】
前記玉板部材に設けた空洞の上部開口に、頂部が笠型でなり、明かり漏洩部を有する装飾蓋体を配設してなることを特徴とする請求項１または請求項２に記載の墓所の玉垣構造。
【請求項４】
前記玉垣柱部材が、その一側面方向に開口する空洞を備え、前記空洞内に燭台を配設可能になしたことを特徴とする請求項１に記載の墓所の玉垣構造。
【考案の詳細な説明】
【技術分野】
【０００１】
この考案は、墓所の玉垣構造に関するものであり、特に、墓所の玉垣を構成する玉板部材並びに玉垣柱部材に対して、燭台のための空洞を設け、この空洞内にも点火ローソクをセットして、お参りすようになした新規な玉垣構造に関するものである。
【背景技術】
【０００２】
周知のように、従来の墓所における玉垣は、所望の間隔をおいて立設される玉垣柱部材と、この玉垣柱部材間に配設される玉板部材との組み合わせによって構築されるものであって、専ら、墓所の一領域を区画形成するための石垣構造物にすぎなかった。下記、特許文献１に記載のものは、墓所の玉垣構造にあって、当該玉垣の一部を塔婆立てにしたものであり、この考案のように、玉垣に燭台設置部を設け、拝石を囲む周囲を灯明可能になしたものとは全く相違する技術内容のものである。
【特許文献１】実用新案登録第３０６７７４３号公報
【考案の開示】
【考案が解決しようとする課題】
【０００３】
この考案は、上記する従来の墓所における玉垣に対して、当該玉垣を構成する玉板部材並びに玉垣柱部材に、燭台のための空洞を設け、該空洞内に点火ローソクをセットすることができ、拝石を囲む周囲を灯明可能になした新規な墓所の玉垣構造を提供しようとするものである。
【課題を解決するための手段】
【０００４】
この考案は、上記する目的を達成するにあたって、具体的には、墓所の基台石上に、納骨室を含む宝筺印塔、拝石などを設け、その周囲に玉垣を配して墓所一領域を区画するように構成してなり、前記玉垣が、所望も間隔をおいて立設される玉垣柱部材と、前記玉垣柱部材間に配設される玉板部材との組み合わせによって構成され、前記玉板部材は、その長さ方向に略等分する少なくとも一箇所に高さ方向にのびる空洞を備え、前記空洞内に燭台を配設可能になしたことを特徴とする墓所の玉垣構造を構成するものである。
【０００５】
さらに、この考案は、前記玉板部材に設けた空洞に対応して、前記玉板部材の側面に明かり窓を設けたことを特徴とするものである。
【０００６】
さらにまた、この考案は、前記玉板部材に設けた空洞の上部開口に、頂部が笠型でなり、明かり漏洩部を有する装飾蓋体を配設してなることを特徴とするものでもある。
【０００７】
さらにまた、この考案は、前記玉垣柱部材が、その一側面方向に開口する空洞を備え、前記空洞内に燭台を配設可能になしたことを特徴とする墓所の玉垣構造を構成するものでもある。
【考案の効果】
【０００８】
この考案の墓所における玉垣構造によれば、墓所の一領域を区画形成する玉垣に関して、これを玉垣柱部材８および玉板部材９により構成し、これらの部材に燭台を形成することによって、納骨室を含む宝筺印塔、拝石などを囲む周囲に点火ローソクによる灯明をセットすることができ、墓参に際して、従来とは異なる極めて趣のある状況を生みだすことができ、その点において極めて有効に作用するものといえる。
【考案を実施するための最良の形態】
【０００９】
以下、この考案になる墓所の玉垣構造について、図面に示す具体的な実施例にもとづいて詳細に説明する。図１は、この考案にかかる墓所の玉垣構造を適用してなる墓所一区画の具体的な一構成例を示す概略的な斜視図である。一方、図２は、この考案になる墓所の玉垣構造の主要部を示すものであって、図２Ａは、一つの玉垣柱部材と、その両側に配設される玉板部材の各一部を破断して示す玉垣の概略的な正面図であり、図２Ｂは、図２Ａを平面視する図であって、その一部（右側部）を断面で示す概略的な平面図であり、図２Ｃは、図２Ａにおける２Ｃ−２Ｃ線に沿って断面にして矢視方向にみた概略的な側断面図である。
【００１０】
まず、図１に示す墓所一区画における具体的な一構成例によれば、墓所の一区画に相応する基台石１に対して、その上に、納骨室を含む宝筐印塔２、拝石３、その他の墓所構成体としての飾り石４、灯篭５、敷石６などを配し、それらの周囲を囲うようにして玉垣７が設けてある。
【００１１】
前記玉垣７は、墓所の一領域を区画するものであって、例えば、墓所の後方二隅部並びに所望の間隔を隔てて立設される玉垣柱部材８と、この玉垣柱部材８間に配設される玉板部材９との組み合わせによって構成されている。
【００１２】
この考案において、最も大きな特徴は、前記玉板部材９並びに玉垣柱部材８の構造にある。すなわち、この考案において、前記玉板部材９は、その長さ方向に略等分する少なくとも一箇所に、高さ方向にのびる空洞１０を備えていて、この空洞１０は、上方に向けて開口１１する横断面円形の孔１２によって構成され、下端床部１３にローソク立て部材１４を備えた燭台１５を形成する。
【００１３】
さらに、この考案では、前記玉板部材９に設けた空洞１０の上方開口１１に対して、頂部が笠型によって形成されていて、側部に明かり漏洩部１６を有する装飾蓋体１７が取り付けられるようになっている。
【００１４】
さらにまた、前記玉板部材９は、前記空洞１０に対応して、側面方向に向けて開口する明かり窓１８を備えており、当該明かり窓１８に対して、例えば、開閉が自在なガラス窓部材１９が取り付けられるようになっている。
【００１５】
さらに、この考案では、必要に応じて、前記玉垣柱部材８に対し、その一側面方向に開口２０する空洞２１を備えていて、該空洞２１内に燭台２２を形成するようにしたものであってもよい。
【図面の簡単な説明】
【００１６】
【図１】図１は、この考案にかかる墓所の玉垣構造を適用してなる墓所一区画の具体的な一構成例を示す概略的な斜視図である。
【図２】図２は、この考案になる墓所の玉垣構造の主要部を示すものであって、図２Ａは、一つの玉垣柱部材と、その両側に配設される玉板部材の各一部を破断して示す玉垣の概略的な正面図であり、図２Ｂは、図２Ａを平面視する図であって、その一部（右側部）を断面で示す概略的な平面図であり、図２Ｃは、図２Ａにおける２Ｃ−２Ｃ線に沿って断面にして矢視方向にみた概略的な側断面図である。
【符号の説明】
【００１７】
１　基台石
２　宝筐印塔
３　拝石
４　飾り石
５　灯篭
６　敷石
７　玉垣
８　玉垣柱部材
９　玉板部材
１０　玉板部材に設けた空洞
１１　上方開口
１２　横断面円形の孔
１３　下端床部
１４　ローソク立て部材
１５　燭台
１６　側部明かり漏洩部
１７　装飾蓋体
１８　玉板部材に設けた明かり窓
１９　ガラス窓部材
２０　玉垣柱部材の一側面方向に設けた開口
２１　玉垣柱部材に設けた空洞
２２　玉垣柱部材に設けた燭台
【図１】
0003099135.tif 000003
【図２】
0003099135.tif 000004